【手続補正書】
【提出日】平成16年10月1日(2004.10.1)
【手続補正１】
【補正対象書類名】特許請求の範囲
【補正対象項目名】全文
【補正方法】変更
【補正の内容】
【特許請求の範囲】
【請求項１】
発泡剤としての水、セル安定剤、および式(Ｉ)：
【化１】
2004269891.tif 000001
（式中、ＡはＣＨまたはＮを表し；
Ｒ1は水素を表し、そしてＲ6は−ＣＨ2Ｃ(Ｒ7)(ＯＨ)ＣＨ2ＯＲ8を表すか；または
Ｒ1は
【化２】
2004269891.tif 000002
を表し、そしてＲ6は−ＣＨ2Ｃ(Ｒ7)(ＯＨ)ＣＨ2ＯＲ8を表すか；または
Ｒ1は−ＣＨ2Ｃ(Ｒ7)(ＯＨ)ＣＨ2ＯＲ8を表し、そしてＲ6はＣ4−Ｃ36炭素原子を有す
るアルキルまたはアルケニル基を表すか；または
Ｒ1は水素を表し、そしてＲ6は−ＣＨ2Ｃ(Ｒ7)(ＯＨ)Ｒ8を表すか；または
Ｒ1は
【化３】
2004269891.tif 000003
を表し、そしてＲ6は−ＣＨ2Ｃ(Ｒ7)(ＯＨ)Ｒ8を表すか；または
Ｒ1は−ＣＨ2Ｃ(Ｒ7)(ＯＨ)Ｒ8を表し、そしてＲ6はＣ4−Ｃ36炭素原子を有するアルキルまたはアルケニル基を表し；
Ｒ2およびＲ3はそれぞれ水素またはＣ1−Ｃ6炭素原子を有するアルキルもしくはアルケニル基を表し；
Ｒ4およびＲ5はそれぞれＡがＮを表す場合Ｃ1−Ｃ6炭素原子を有するアルキル基を表すか；または
Ｒ4およびＲ5は一緒になってＡがＮを表す場合Ｃ2−Ｃ5アルキレン基を表すか；または
Ｒ4およびＲ5は一緒になってＡがＣＨまたはＮである場合ＮＲ10またはＮＲ11を含むＣ2−Ｃ5アルキレン基を表し、ここでＲ10は水素またはＣ1−Ｃ4炭素原子を有するアルキル基であり、そしてＲ11はＣ1−Ｃ4炭素原子を有するアルキル基または
【化４】
2004269891.tif 000004
であり；
Ｒ7は水素またはＣ1−Ｃ5炭素原子を有するアルキルまたはアルケニル基を表し；
Ｒ8はＣ4−Ｃ36炭素原子を有するアルキルもしくはアルケニル基または−ＣＯＲ9を表
し、ここでＲ9はＣ3−Ｃ35炭素原子を有するアルキルまたはアルケニル基を表し；そして
ｎは１〜３の整数であり、そしてここで第３級アミンアミド触媒は酸でブロックされている）
により表される第３級アミンアミド触媒組成物の存在で、有機ポリイソシアネートとポリオールとを反応させることからなるポリウレタンフォームの製造方法。
【請求項２】
化合物が、
Ｎ,Ｎ−ビス−(３−ジメチルアミノプロピル)−Ｎ−(２−ヒドロキシプロピル−オクタデシルエーテル)アミン、Ｎ−(３−ジメチルアミノプロピル)−Ｎ−(２−ヒドロキシプロピル−オクタデシルエーテル)アミン、Ｎ,Ｎ−ビス−(３−ジメチルアミノプロピル)−Ｎ−(２−ヒドロキシプロピル−ヘキサデシルエーテル)アミン、Ｎ−(３−ジメチルアミノ
プロピル)−Ｎ−(２−ヒドロキシプロピル−ヘキサデシルエーテル)アミン、Ｎ,Ｎ−ビス−(３−ジメチルアミノプロピル)−Ｎ−(２−ヒドロキシプロピル−テトラデシルエーテ
ル)アミン、Ｎ−(３−ジメチルアミノプロピル)−Ｎ−(２−ヒドロキシプロピル−テトラデシルエーテル)アミン、Ｎ,Ｎ−ビス−(３−ジメチルアミノプロピル)−Ｎ−(２−ヒド
ロキシプロピル−ドデシルエーテル)アミン、Ｎ−(３−ジメチルアミノプロピル)−Ｎ−(２−ヒドロキシプロピル−ドデシルエーテル)アミン、Ｎ,Ｎ−ビス−(３−ジメチルアミ
ノプロピル)−Ｎ−(２−ヒドロキシプロピル−デシルエーテル)アミン、Ｎ−(３−ジメチルアミノプロピル)−Ｎ−(２−ヒドロキシプロピル−デシルエーテル)アミン、Ｎ,Ｎ−ビス−(３−ジメチルアミノプロピル)−Ｎ−(２−ヒドロキシプロピル−オクチルエーテル)アミン、Ｎ−(３−ジメチルアミノプロピル)−Ｎ−(２−ヒドロキシプロピル−オクチル
エーテル)アミン、Ｎ,Ｎ−ビス−(３−ジメチルアミノプロピル)−Ｎ−(２−ヒドロキシ
プロピル−２−エチルヘキシルエーテル)アミン、Ｎ−(３−ジメチルアミノプロピル)−
Ｎ−(２−ヒドロキシプロピル−２−エチルヘキシルエーテル)アミン、Ｎ,Ｎ−ビス−(３−ジメチルアミノプロピル)−Ｎ−(２−ヒドロキシプロピル−ヘキシルエーテル)アミン
、Ｎ−(３−ジメチルアミノプロピル)−Ｎ−(２−ヒドロキシプロピル−ヘキシルエーテ
ル)アミン、Ｎ,Ｎ−ビス−(３−ジメチルアミノプロピル)−Ｎ−(２−ヘキサノール)アミン、Ｎ−(３−ジメチルアミノプロピル)−Ｎ−(２−ヘキサノール)アミン、Ｎ,Ｎ−ビス
−(３−ジメチルアミノプロピル)−Ｎ−(２−オクタノール)アミン、Ｎ−(３−ジメチル
アミノプロピル)−Ｎ−(２−オクタノール)アミン、Ｎ,Ｎ−ビス−(３−ジメチルアミノ
プロピル)−Ｎ−(２−デカノール)アミン、Ｎ−(３−ジメチルアミノプロピル)−Ｎ−(２−デカノール)アミン、Ｎ,Ｎ−ビス−(３−ジメチルアミノプロピル)−Ｎ−(２−ドデカ
ノール)アミン、Ｎ−(３−ジメチルアミノプロピル)−Ｎ−(２−ドデカノール)アミン、
Ｎ,Ｎ−ビス−(３−ジメチルアミノプロピル)−Ｎ−(２−テトラデカノール)アミン、Ｎ
−(３−ジメチルアミノプロピル)−Ｎ−(２−テトラデカノール)アミン、Ｎ,Ｎ−ビス−(３−ジメチルアミノプロピル)−Ｎ−(２−ヘキサデカノール)アミン、Ｎ−(３−ジメチルアミノプロピル)−Ｎ−(２−ヘキサデカノール)アミン、Ｎ,Ｎ−ビス−(３−ジメチルアミノプロピル)−Ｎ−(２−オクタデカノール)アミン、Ｎ−(３−ジメチルアミノプロピル)−Ｎ−(２−オクタデカノール)アミン；Ｎ,Ｎ−ビス−(３−ジメチルアミノプロピル)−Ｎ−(２−ヒドロキシプロピルブチルエーテル)アミン；およびＮ,Ｎ−ビス−(３−ジメチルアミノプロピル)−Ｎ−(２−ヒドロキシプロピル−ネオデカン酸エステル)アミン
からなる群より選択される請求項１記載の方法。
【請求項３】
化合物が、
Ｎ,Ｎ−ビス−(３−ジメチルアミノプロピル)−Ｎ−(２−ヒドロキシプロピルブチルエーテル)アミン；
Ｎ,Ｎ−ビス−(３−ジメチルアミノプロピル)−Ｎ−(２−ヒドロキシプロピル−２−エチルヘキシルエーテル)アミン；
Ｎ,Ｎ−ビス−(３−ジメチルアミノプロピル)−Ｎ−(２−ヒドロキシプロピル−テトラデシルエーテル)アミン；
Ｎ,Ｎ−ビス−(３−ジメチルアミノプロピル)−Ｎ−(２−ヒドロキシプロピル−ドデシルエーテル)アミン；または
Ｎ,Ｎ−ビス−(３−ジメチルアミノプロピル)−Ｎ−(２−ヒドロキシプロピル−ネオデカン酸エステル)アミン
である請求項１または２記載の方法。
【請求項４】
化合物がＮ,Ｎ−ビス−(３−ジメチルアミノプロピル)−Ｎ−(２−ヒドロキシプロピル−テトラデシルエーテル)アミンおよびＮ,Ｎ−ビス−(３−ジメチルアミノプロピル)−Ｎ−(２−ヒドロキシプロピル−ドデシルエーテル)アミンの混合物である請求項１または２記載の方法。
【請求項５】
さらにゲル化触媒を含む請求項１記載の方法。
【請求項６】
さらに発泡触媒を含む請求項１記載の方法。
【請求項７】
発泡剤としての水、セル安定剤、および触媒組成物の存在で有機ポリイソシアネートとポリオールとを反応させることからなるポリウレタンフォームの製造方法であって、式(
Ｉ)：
【化６】
2004269891.tif 000005
（式中、ＡはＣＨまたはＮを表し；
Ｒ1は水素を表し、そしてＲ6は−ＣＨ2Ｃ(Ｒ7)(ＯＨ)ＣＨ2ＯＲ8を表すか；または
Ｒ1は
【化７】
2004269891.tif 000006
を表し、そしてＲ6は−ＣＨ2Ｃ(Ｒ7)(ＯＨ)ＣＨ2ＯＲ8を表すか；または
Ｒ1は−ＣＨ2Ｃ(Ｒ7)(ＯＨ)ＣＨ2ＯＲ8を表し、そしてＲ6はＣ4−Ｃ36炭素原子を有す
るアルキルまたはアルケニル基を表すか；または
Ｒ1は水素を表し、そしてＲ6は−ＣＨ2Ｃ(Ｒ7)(ＯＨ)Ｒ8を表すか；または
Ｒ1は
【化８】
2004269891.tif 000007
を表し、そしてＲ6は−ＣＨ2Ｃ(Ｒ7)(ＯＨ)Ｒ8を表すか；または
Ｒ1は−ＣＨ2Ｃ(Ｒ7)(ＯＨ)Ｒ8を表し、そしてＲ6はＣ4−Ｃ36炭素原子を有するアルキルまたはアルケニル基を表し；
Ｒ2およびＲ3はそれぞれ水素またはＣ1−Ｃ6炭素原子を有するアルキルもしくはアルケニル基を表し；
Ｒ4およびＲ5はそれぞれＡがＮを表す場合Ｃ1−Ｃ6炭素原子を有するアルキル基を表すか；または
Ｒ4およびＲ5は一緒になってＡがＮを表す場合Ｃ2−Ｃ5アルキレン基を表すか；または
Ｒ4およびＲ5は一緒になってＡがＣＨまたはＮである場合ＮＲ10またはＮＲ11を含むＣ2−Ｃ5アルキレン基を表し、ここでＲ10は水素またはＣ1−Ｃ4炭素原子を有するアルキル基であり、そしてＲ11はＣ1−Ｃ4炭素原子を有するアルキル基または
【化９】
2004269891.tif 000008
であり；
Ｒ7は水素またはＣ1−Ｃ5炭素原子を有するアルキルまたはアルケニル基を表し；
Ｒ8はＣ4−Ｃ36炭素原子を有するアルキルもしくはアルケニル基または−ＣＯＲ9を表
し、ここでＲ9はＣ3−Ｃ35炭素原子を有するアルキルまたはアルケニル基を表し；そして
ｎは１〜３の整数であり、そしてここで第３級アミンアミド触媒はカルボン酸で酸ブロックされている）
により表される第３級アミノアルキルアミド触媒組成物を使用することからなる、水とイソシアネートとの間の反応を、フォームの物性を維持および制御する一方フォームの発泡を引き起こし得るようにしたことを特徴とする上記の方法。